(57)【要約】      （修正有）【課題】額のような幅，厚みのある外枠をなくし、掲示物の見栄えを保て、写真等の掲示物を壁面等の被掲示体に対して安定よく着脱自在に掛下げ可能な掲示用具を提供する。【解決手段】少なくとも前面側を内部の透視可能な無色透明のシート部材で形成し、同じ面積を有する前面シート１ａ，背面シート１ｂを相対させて掲示物の差込み空間を保ち、シート相互１ａ，１ｂの縁回り一辺を掲示物の差込み口１１として開放し、他の縁回り三辺を接合した具本体１を備え、背面シート１ｂを内面側より差込み口１１の口方向に亘って押さえる剛直な帯板状の支持プレート２と、支持プレート２の背面側に取り付ける止め具３ａ，３ｂとを被掲示体に対する具本体１の止着具として備え付けた。【選択図】図１
0003135014.tif 000002
【実用新案登録請求の範囲】
【請求項１】
少なくとも前面側を内部の透視可能な無色透明のシート部材で形成し、同じ面積を有する前面シート，背面シートを相対させて掲示物の差込み空間を保ち、シート相互の縁回り一辺を掲示物の差込み口として開放し、他の縁回り三辺を接合した具本体を備え、背面シートを内面側より差込み口の口方向に亘って押さえる剛直な帯板状の支持プレートと、支持プレートの背面側に取り付ける止め具とを被掲示体に対する具本体の止着具として備え付けたことを特徴とする掲示用具。
【請求項２】
突刺しピンまたは磁石を止め具として支持プレートの背面側に取り付けたことを特徴とする請求項１に記載の掲示用具。
【請求項３】
止め具を支持プレートの少なくとも両端寄り二ヶ所に取り付けたことを特徴とする請求項１または２に記載の掲示用具。
【考案の詳細な説明】
【技術分野】
【０００１】
本考案は、写真等の掲示物を壁面，金属パネル等の被掲示体に掛け下げるに用いられる掲示用具に関するものである。
【背景技術】
【０００２】
一般に、写真を壁面に掛け下げる場合を例示すると、絵画を入れるのと同じ額が用いられている。この額では掲示物を幅，厚みのある外枠で囲うものであるため、写真を入れると、写真が外枠に負けて見栄えのしないものになってしまう。
【０００３】
従来、同じ面積を有する無色透明のシート部材を相対させて掲示物の差込み空間を保ち、シート相互の縁回り一辺を掲示物の差込み口として開放し、他の縁回り三辺を接合した具本体を備え、無色透明の粘着層をいずれかシート部材の外側全面に備えることから、窓ガラスに貼着するタイプの掲示用具が提案されている（特許文献１）。
【０００４】
その掲示用具は、広告紙等の掲示物二枚を背合せに組み合わせて差込み空間に入れ、具本体を無色透明の粘着層で窓ガラスに貼着することから、広告紙等の掲示物を両面から透視可能に備え付けるものとして提案されている。このため、写真等の掲示物を壁面等の被掲示体に対して着脱自在に掛け下げるものとしては適さない。
【特許文献１】実用新案登録第３０３０１１３号
【考案の開示】
【考案が解決しようとする課題】
【０００５】
本考案の解決しようとする課題は、額のような幅，厚みのある外枠をなくすることから、掲示物の見栄えを保て、写真等の掲示物を壁面等の被掲示体に対して安定よく着脱自在に掛下げ可能な掲示用具を提供するところにある。
【課題を解決するための手段】
【０００６】
本願の請求項１は、少なくとも前面側を内部の透視可能な無色透明のシート部材で形成し、同じ面積を有する前面シート，背面シートを相対させて掲示物の差込み空間を保ち、シート相互の縁回り一辺を掲示物の差込み口として開放し、他の縁回り三辺を接合した具本体を備え、背面シートを内面側より差込み口の口方向に亘って押さえる剛直な帯板状の支持プレートと、支持プレートの背面側に取り付ける止め具とを被掲示体に対する具本体の止着具として備え付けたことを特徴とする。
【０００７】
本願の請求項２は、突刺しピンまたは磁石を止め具として支持プレートの背面側に取り付けたことを特徴とする。
【０００８】
本願の請求項３は、止め具を支持プレートの少なくとも両端寄り二ヶ所に取り付けたことを特徴とする。
【考案の効果】
【０００９】
本願の請求項１に係る掲示用具によると、前面側全面を掲示物の透視面として形成することから、写真を掲示物としても当該写真の見栄えを保て、また、背面シートを内面側より差込み口の口方向に亘って剛直な帯板状の支持プレートで押さえるため、前面シートが差込み口側から湾曲状に垂れ出すのを防げ、具本体を被掲示体に対して止め具で安定よく着脱自在に掛け下げるようにできる。
【００１０】
本願の請求項２に係る掲示用具によると、突刺しピンまたは磁石を止め具として備えることから、具本体を好みに応じて被掲示体に容易に着脱するようにできる。
【００１１】
本願の請求項３に係る掲示用具によると、止め具を支持プレートの少なくとも両端寄り二ヶ所に備えることから、支持プレートを被掲示体に対して安定よく取り付けられると共に、背面シートを内面側より支持プレートで安定よく押さえるようにできる。
【考案を実施するための最良の形態】
【００１２】
図示実施の形態には、図１〜図３で示す突刺しピンを止め具として備えた家屋の壁面等を被掲示体とするに適した第１の形態と、図４，図５で示す磁石を止め具として備えたキャビネット等の金属パネル面を被掲示体とするに適した第２の形態とが挙げられている。
【００１３】
いずれの形態でも、少なくとも前面側を内部の透視可能な無色透明の樹脂製シートで形成し、同じ面積を有する前面シート１ａ，背面シート１ｂを相対させて掲示物の差込み空間１０を保ち、シート相互１ａ，１ｂの縁回り一辺を掲示物の差込み口１１として開放し、他の縁回り三辺１２〜１４を溶着シールで接合した具本体１を備えている。
【００１４】
具本体１は、図１で示すように縦長形態で、図２で示すように横長形態で使用可能に形成するようにできる。大きさとしては、葉書大，Ｂ５，Ａ４，Ｂ４，Ａ３等の各種サイズに形成できる。長方形の具本体１のみならず、正方形を呈するものにでも形成できる。また、具本体１の前面シート１ａ，背面シート１ｂを共に無色透明の樹脂製シートで形成すれば、いずれを前面側に選択しても使用可能に形成できる。
【００１５】
具本体１は、背面シート１ｂを内面側より差込み口１１の口方向に亘って押さえる剛直な帯板状の支持プレート２と、図３で示すように支持プレート２の背面側に取り付けて背面シート１ｂの内面側より外方に露出する突刺しピン３ａ，３ｂとを家屋等の壁面（図示せず）に対する具本体１の止着具として備え付けている。
【００１６】
支持プレート２は剛直な帯板状であれば、金属板製またはプラスチック製のいずれのものであってもよい。寸法的には、リボン程度の有幅で、差込み口１１の口方向全長に亘るもの、或いは差込み口１１の左右まで完全に亘らない余白が残る程度の短いものであってもよい。この支持プレート２は、具本体１より着脱可能な別体に備え、或いは背面シート１ｂの内面側と一体に接着させて備えるようにできる。
【００１７】
突刺しピン３ａ，３ｂは支持プレート２と一体に形成し、或いは画鋲状の別体ものを支持プレート２の板面に貼り付けて設けてもよい。この突刺しピン３ａ，３ｂは、支持プレート２の長手方向を安定よく保持するよう支持プレート２の少なくとも両端寄り二ヶ所に備え、支持プレート２の長さに応じては中央を含む三ヶ所或いは定間隔毎四ヶ所等の複数個所に設けるようにできる。
【００１８】
突刺しピン３ａ，３ｂに代わる磁石としては、図４で示すように円盤状のもの３ａ’，３ｂ’を支持プレート２の板面に接着固定し、或いは吸着面を除き支持プレート２の板面に埋め込んで設けるようにできる。その他の条件としては、突刺しピン３ａ，３ｂと同様に設けるようにできる。
【００１９】
磁石３ａ’，３ｂ’の場合、キャビネット等の金属パネル面に対する具本体１の掛下げを確実なものにするべく、図５で示すように吸着面を背面シート１ｂの板面に設けた開孔（符号なし）より外方に露出させて取り付けるようにできる。磁力によっては、吸着面を背面シート１ｂより外方に露出させず、背面シート１ｂを内面側より押さえてキャビネット等の金属パネル面に吸着するよう備え付けるようにもできる。
【００２０】
このように構成する掲示用具では、図６で示すように具本体１の前面側全面を掲示物の透視面として額のように枠取らないことから、写真Ｐを掲示物としても当該写真の見栄えを良好に保てる。勿論、支持プレート２，止め具３ａ，３ｂ（３ａ’，３ｂ’）を備えても外部から見えないため、具全体として体裁が損なわれることもない。
【００２１】
具本体１は、背面シート１ｂを内面側より差込み口１１の口方向に亘って剛直な帯板状の支持プレート２で押さえるため、前面シート１ａが差込み口側から湾曲状に垂れ出すこともなく、被掲示体に対して止め具３ａ，３ｂ（３ａ’，３ｂ’）で安定よく着脱自在に掛け下げられる。
【００２２】
それと共に、突刺しピン３ａ，３ｂまたは磁石３ａ’，３ｂ’を止め具として備えることから、具本体を好みに応じて被掲示体に容易に着脱できる。また、止め具３ａ，３ｂ（３ａ’，３ｂ’）を支持プレート２の少なくとも両端寄り二ヶ所に備えることから、支持プレート２を被掲示体に対して安定よく取り付けられると共に、背面シート１ｂを内面側より支持プレート２で安定よく押さえられる。
【図面の簡単な説明】
【００２３】
【図１】本考案に係る掲示用具を突刺しピンによる縦長掲示タイプで示す正面図である。
【図２】図１の掲示用具を突刺しピンによる横長掲示タイプで示す正面図である。
【図３】図１の掲示用具を示す部分拡大断面図である。
【図４】本考案に係る掲示用具を磁石による横長掲示タイプで示す正面図である。
【図５】図４の掲示用具を示す部分拡大断面図である。
【図６】図１の掲示用具による使用形態を示す説明図である。
【符号の説明】
【００２４】
１            具本体
１ａ          前面シート
１ｂ          背面シート
１０          掲示物の差込み空間
１１          掲示物の差込み口
２            支持プレート
３ａ，３ｂ    止め具（突刺しピン）
３ａ’，３ｂ’    止め具（磁石）
【図１】
0003135014.tif 000003
【図２】
0003135014.tif 000004
【図３】
0003135014.tif 000005
【図４】
0003135014.tif 000006
【図５】
0003135014.tif 000007
【図６】
0003135014.tif 000008